(57)【要約】【課題】印刷媒体に印刷を行う機能に加え、光学的読取機能を有する装置において、印刷直後の印刷媒体以外のものの読み取りを行えるようにする。【解決手段】印刷テープ７０に印刷する印刷ヘッド５を有するテープ印刷装置１は、本体１０から印刷後の印刷テープ７０を排出する排出口１９に配置され、読取対象物を光学的に読み取る読取ユニット６と、搬送された印刷テープ７０の長さを検出する搬送量検出部３９と、読取ユニット６により読み取られた読取画像を取得し、搬送量検出部３９により検出された印刷テープ７０の長さに基づき、読取画像の長さを求める制御部１００の読取制御部１０３とを備えている。【選択図】図２
2013212623.tif 000002
【特許請求の範囲】
【請求項１】
テープ状印刷媒体に印刷する印刷手段を有するテープ印刷装置であって、
前記テープ印刷装置の本体から印刷後の前記テープ状印刷媒体を排出する排出口に配置され、読取対象物を光学的に読み取る読取手段と、
前記テープ状印刷媒体を搬送する搬送機構と、
前記搬送機構により搬送された前記テープ状印刷媒体の長さを検出する搬送量検出手段と、
前記読取手段により読み取られた読取画像を取得し、前記搬送量検出手段により検出された前記テープ状印刷媒体の長さに基づき、前記読取画像の長さを求める読取制御手段と、
を備えたことを特徴とするテープ印刷装置。
【請求項２】
前記搬送機構は、前記排出口から排出された前記テープ状印刷媒体を前記本体に巻き取る巻取機構を備え、
前記搬送量検出手段は、前記巻取機構が巻き取る前記テープ状印刷媒体の長さを検出することを特徴とする請求項１記載のテープ印刷装置。
【請求項３】
前記テープ状印刷媒体は、第１の面に印刷が施される被印刷面を有するとともに第２の面に粘着層を有する粘着テープと、前記粘着テープに剥離可能に設けられた剥離テープとを有して構成され、
前記読取手段は、少なくとも前記テープ状印刷媒体の前記剥離テープを読み取る位置に設けられ、
前記読取制御手段は、前記読取手段によって、前記巻取機構が巻き取る前記テープ状印刷媒体の前記剥離テープを読み取らせ、この読取画像を取得することを特徴とする請求項２記載のテープ印刷装置。
【請求項４】
前記読取手段は、前記本体の外側に位置する前記読取対象物を読み取る位置に設けられ、
前記読取制御手段は、前記読取手段によって、前記本体の外部に位置する前記読取対象物を読み取らせて読取画像を取得することを特徴とする請求項１または２記載のテープ印刷装置。
【請求項５】
前記読取制御手段が取得した読取画像を記憶する画像記憶手段を備えることを特徴とする請求項１から４のいずれかに記載のテープ印刷装置。
【請求項６】
前記画像記憶手段に記憶した読取画像を前記印刷手段によって前記テープ状印刷媒体に印刷させる印刷制御手段を備えたことを特徴とする請求項５記載のテープ印刷装置。
【請求項７】
前記読取制御手段は、前記読取手段から取得した読取画像を制御用のデータとして処理することを特徴とする請求項１から６のいずれかに記載のテープ印刷装置。
【請求項８】
テープ状印刷媒体に印刷する印刷手段を有し、テープ印刷装置の本体から印刷後の前記テープ状印刷媒体を排出する排出口に位置して読取対象物を光学的に読み取る読取手段と、前記テープ状印刷媒体を搬送する搬送機構と、前記搬送機構により搬送された前記テープ状印刷媒体の長さを検出する搬送量検出手段とを備えたテープ印刷装置を制御して、
前記読取手段により読み取られた読取画像を取得し、前記搬送量検出手段により検出された前記テープ状印刷媒体の長さに基づき、前記読取画像の長さを求めること、
を特徴とするテープ印刷装置の制御方法。
【発明の詳細な説明】
【技術分野】
【０００１】
本発明は、テープ状印刷媒体に印刷するテープ印刷装置、及び、テープ印刷装置の制御方法に関する。
【背景技術】
【０００２】
従来、ラベル等の印刷媒体に情報を印刷する装置として、印刷した面を読み取る機能を備えたものが知られている（例えば、特許文献１参照）。特許文献１記載の構成では、ホストコンピューターの制御に従ってラベル印刷を行い、印刷後のラベルを光学的に読み取って、印刷が正常に行われたか否かを検証する。
【先行技術文献】
【特許文献】
【０００３】
【特許文献１】特開２００６−０３５５５２号公報
【発明の概要】
【発明が解決しようとする課題】
【０００４】
上記従来の装置のように、ホストコンピューターから送信されたデータに従って印刷を行い、この印刷後の印刷媒体を印刷直後に読み取る場合、印刷した範囲のサイズが既知であるため、読取画像のサイズを事前に得ることができる。
ところで、このような装置が有する光学読取機能を使って、印刷直後の印刷媒体に限らず様々なものを読み取ることも考えられるが、上記従来の装置は読み取る範囲のサイズ、すなわち読取画像のサイズを知るすべが無いため、印刷直後の印刷媒体の読み取りにしか利用できなかった。
本発明は、上述した事情に鑑みてなされたものであり、印刷媒体に印刷を行う機能に加え、光学的読取機能を有する装置において、印刷直後の印刷媒体以外のものの読み取りを行えるようにすることを目的とする。
【課題を解決するための手段】
【０００５】
上記目的を達成するため、本発明は、テープ状印刷媒体に印刷する印刷手段を有するテープ印刷装置であって、前記テープ印刷装置の本体から印刷後の前記テープ状印刷媒体を排出する排出口に配置され、読取対象物を光学的に読み取る読取手段と、前記テープ状印刷媒体を搬送する搬送機構と、前記搬送機構により搬送された前記テープ状印刷媒体の長さを検出する搬送量検出手段と、前記読取手段により読み取られた読取画像を取得し、前記搬送量検出手段により検出された前記テープ状印刷媒体の長さに基づき、前記読取画像の長さを求める読取制御手段と、を備えたことを特徴とする。
本発明によれば、搬送されたテープ状印刷媒体の長さを検出し、この長さに基づいて読取画像のサイズを求めることができる。つまり、印刷媒体として用いるテープ状印刷媒体を、読取範囲のサイズを求める目的でも使用し、正確に読取画像のサイズを得ることができる。これにより、このテープ印刷装置が備えている光学的読取機能を利用して、このテープ印刷装置が印刷したテープ状印刷媒体に限らず、様々なものを光学的に読み取ることが可能となる。
【０００６】
また、本発明は、上記テープ印刷装置において、前記搬送機構は、前記排出口から排出された前記テープ状印刷媒体を前記本体に巻き取る巻取機構を備え、前記搬送量検出手段は、前記巻取機構が巻き取る前記テープ状印刷媒体の長さを検出することを特徴とする。
本発明によれば、テープ状印刷媒体を巻き取りながら光学的読み取りを実行できる。さらに、読取範囲のサイズを、テープ状印刷媒体の巻取長に基づいて正確に得られるので、正しい読取画像データのサイズを容易に得ることができる。
【０００７】
また、本発明は、上記テープ印刷装置において、前記テープ状印刷媒体は、第１の面に印刷が施される被印刷面を有するとともに第２の面に粘着層を有する粘着テープと、前記粘着テープに剥離可能に設けられた剥離テープとを有して構成され、前記読取手段は、少なくとも前記テープ状印刷媒体の前記剥離テープを読み取る位置に設けられ、前記読取制御手段は、前記読取手段によって、前記巻取機構が巻き取る前記テープ状印刷媒体の前記剥離テープを読み取らせ、この読取画像を取得することを特徴とする。
本発明によれば、テープ印刷装置が排出したテープ状印刷媒体の剥離テープに、手書きや押印等により読み取らせたい文字や画像を形成し、この文字や画像を、テープ状印刷媒体を巻き取りながらテープ印刷装置によって読み取ることができる。
【０００８】
また、本発明は、上記テープ印刷装置において、前記読取手段は、前記本体の外側に位置する前記読取対象物を読み取る位置に設けられ、前記読取制御手段は、前記読取手段によって、前記本体の外部に位置する前記読取対象物を読み取らせて読取画像を取得することを特徴とする。
本発明によれば、本体の外部に位置する読取対象物を光学的に読み取ることができる。また、この場合の読取範囲のサイズを、テープ状印刷媒体の長さに基づいて容易に得ることができ、正しい読取画像データのサイズを容易に得ることができる。
【０００９】
また、本発明は、上記テープ印刷装置において、前記読取制御手段が取得した読取画像を記憶する画像記憶手段を備えることを特徴とする。
本発明によれば、テープ印刷装置が備える光学的読取機能を利用して読み取った読取画像データを、様々な目的に利用できる。
【００１０】
また、本発明は、上記テープ印刷装置において、前記画像記憶手段に記憶した読取画像を前記印刷手段によって前記テープ状印刷媒体に印刷させる印刷制御手段を備えたことを特徴とする。
本発明によれば、テープ印刷装置が備える光学的読取機能を利用して読み取った読取画像データを、テープ状印刷媒体に印刷できるので、読取対象物を容易に複製できる。また、読取画像データのサイズを正確に得ることが可能なため、複製物の歪みを抑制できる。
【００１１】
また、本発明は、上記テープ印刷装置において、前記読取制御手段は、前記読取手段から取得した読取画像を制御用のデータとして処理することを特徴とする。
本発明によれば、テープ印刷装置が備える光学的読取機能を利用して読み取った読取画像データを、テープ印刷装置の制御に用いることができる。
【００１２】
また、上記課題を解決するため、本発明は、テープ状印刷媒体に印刷する印刷手段を有し、テープ印刷装置の本体から印刷後の前記テープ状印刷媒体を排出する排出口に位置して読取対象物を光学的に読み取る読取手段と、前記テープ状印刷媒体を搬送する搬送機構と、前記搬送機構により搬送された前記テープ状印刷媒体の長さを検出する搬送量検出手段とを備えたテープ印刷装置を制御して、前記読取手段により読み取られた読取画像を取得し、前記搬送量検出手段により検出された前記テープ状印刷媒体の長さに基づき、前記読取画像の長さを求めること、を特徴とする。
本発明によれば、搬送されたテープ状印刷媒体の長さを検出し、この長さに基づいて読取画像のサイズを求めることができる。つまり、印刷媒体として用いるテープ状印刷媒体を、読取範囲のサイズを求める目的でも使用し、正確に読取画像のサイズを得ることができる。これにより、このテープ印刷装置が備えている光学的読取機能を利用して、このテープ印刷装置が印刷したテープ状印刷媒体に限らず、様々なものを光学的に読み取ることが可能となる。
【発明の効果】
【００１３】
本発明によれば、テープ印刷装置が備えている光学的読取機能を利用して、このテープ印刷装置が印刷したテープ状印刷媒体に限らず、様々なものを光学的に読み取ることが可能となる。また、テープ状媒体の搬送量を検出することによって、読み取った範囲（長さ）を検出することが可能となる。また、読み取った画像をテープ状印刷媒体に印刷して、ラベルを作成することが可能となる。
【図面の簡単な説明】
【００１４】
【図１】本発明の実施の形態に係るテープ印刷装置の構造図である。
【図２】印刷テープの搬送に係る構成を詳細に示すテープ印刷装置の要部構造図である。
【図３】テープ印刷装置の使用状態の例を示す説明図であり、（Ａ）は外部読取処理の例を示し、（Ｂ）は裏面読取処理の例を示す。
【図４】テープ印刷装置の外部読取処理における動作を示すフローチャートである。
【図５】テープ印刷装置の裏面読取処理における動作を示すフローチャートである。
【発明を実施するための形態】
【００１５】
以下、添付図面を参照して、本発明の一実施形態に係るテープ印刷装置１及びその制御方法について説明する。テープ印刷装置１は、テープカートリッジ２から印刷テープ７０（テープ状印刷媒体）を繰出しながら搬送し、この印刷テープ７０に、印刷手段としての印刷ヘッド５（図２）によって所望の印刷を行うと共にその印刷済み部分を切断して、所望のラベルを得るものである。
【００１６】
図１は、テープ印刷装置１の主要部を模式的に表した構造図である。
図１に示すように、テープ印刷装置１は、排出口１９を有する略箱形の本体１０に、テープカートリッジ２が着脱自在に装着されるカートリッジ装着部１１と、テープ印刷装置１の操作を行うための各種キーを備えたキー入力部５０と、印刷内容等を表示するディスプレイ５５と、を備えている。カートリッジ装着部１１は、開閉可能な蓋を有し、この蓋を開けるとテープカートリッジ２を収容可能な空間にアクセス可能となる。キー入力部５０は、電源スイッチ５１、所定の機能が割り当てられた機能キー５２、５３、及び方向キー入力部５４を有し、方向キー入力部５４は、さらに、方向指示キー５４ａ及び決定キー５４ｂを有する。これらキー入力部５０の各キーの操作によって、テープ印刷装置１の電源のオン／オフ、及び、後述する読取処理や印刷処理等の各種処理を実行させることができる。
本体１０において、キー入力部５０及びディスプレイ５５が設けられた面を前面１０ａとし、本体１０の側面のうち図中上側の面を上面１０ｂとし、本体１０の側面のうち図中左側の面を左側面１０ｃとする。本体１０の左側面１０ｃと上面１０ｂとの角部に、印刷テープ７０を排出する排出口１９が開口している。
さらに、テープ印刷装置１は、後述するように、いったん排出した印刷テープ７０を排出口１９から本体１０内部に巻き取る機能を有する。
【００１７】
印刷テープ７０は、裏面（第２の面）に粘着剤層を有する粘着テープ７１と、粘着テープ７１の粘着面を覆う剥離テープ７２とが重なって２つの層をなす構成となっている。粘着テープ７１の表面（第１の面）すなわち印刷テープ７０の表面７０ａ（被印刷面）には、テープ印刷装置１により文字や記号、画像等が印刷される。粘着テープ７１は、テープ印刷装置１の内部においては剥離テープ７２と一体となって搬送される。印刷テープ７０は、テープ印刷装置１から排出されてカットされた後で、剥離テープ７２を剥がすことによりラベルとして使用される。剥離テープ７２の裏面７０ｂは、例えば白色の紙や合成樹脂により構成され、各種筆記用具によって文字等を書けるようになっている。
【００１８】
図２は、テープ印刷装置１において印刷テープ７０の搬送に係る構成を詳細に示す要部構造図である。
この図２及び以降の図面には、印刷テープ７０を本体１０の外に繰出す場合の印刷テープ７０及びインクリボン２３の搬送方向を矢印Ｆで示し、印刷テープ７０を本体１０内に巻き取る場合の印刷テープ７０及びインクリボン２３の搬送方向を矢印Ｒで示す。
【００１９】
テープカートリッジ２は、印刷テープ７０の送出し口を有するカートリッジケース２１に、印刷テープ７０、インクリボン２３及びプラテンローラー２４を収容して構成されている。印刷テープ７０は、テープコア２２に巻回されて収容されており、印刷時には上記送出し口に向かって矢印Ｆ方向に繰出し可能となっている。インクリボン２３は、繰出しコア２６に巻回されて収容され、印刷時には印刷ヘッド５の位置まで矢印Ｆ方向に繰り出し可能となっており、印刷ヘッド５の位置からさらに矢印Ｆ方向に送られて、巻取りコア２７に巻き取られる。
また、印刷テープ７０を巻き取る場合には、印刷テープ７０は矢印Ｒ方向に搬送されてテープコア２２に巻き取られる。このとき、インクリボン２３は、巻取りコア２７から矢印Ｒ方向に繰り出されて、印刷ヘッド５の前を通り、繰出しコア２６に巻き取られる。
カートリッジケース２１には、印刷ヘッド５に対応する位置に矩形の開口部２８が形成されており、この開口部２８に印刷ヘッド５が挿入される。プラテンローラー２４は、開口部２８に遊挿された印刷ヘッド５に接触するように配設されている。
【００２０】
カートリッジ装着部１１には、サーマルヘッドで構成された印刷ヘッド５が配設され、プラテンローラー２４と印刷ヘッド５との間に印刷テープ７０及びインクリボン２３を重ねて挟持し、印刷テープ７０とインクリボン２３とを併走させながら熱転写による印刷を行う。印刷ヘッド５は、複数の発熱素子をテープ幅方向に列設した発熱素子アレイを有し、この発熱素子アレイの長さは、印刷可能な最大幅の印刷テープ７０の幅に対応している。すなわち、本実施形態の印刷ヘッド５では、発熱素子アレイを構成する複数の発熱素子を、印刷データに基づいて選択的に発熱駆動する。印刷テープ７０の表面７０ａ側にはインクリボン２３が重なっており、印刷ヘッド５がインクリボン２３に与える熱エネルギーによってインクリボン２３のインクが表面７０ａに付着する。また、プラテンローラー２４には、印刷テープ７０の裏面７０ｂが当接する。
【００２１】
カートリッジ装着部１１には、動力源を構成する搬送モーター３１と、搬送モーター３１により駆動され、プラテンローラー２４及び巻取りコア２７を回転させるテープ送り機構３２（搬送機構）とが内蔵されている。テープ送り機構３２はギヤ列（不図示）で構成されており、このギヤ列に含まれる２つの最終ギヤに、カートリッジ装着部１１内に突出するプラテン軸３３及び巻取軸３４がそれぞれ設けられている。
テープカートリッジ２をカートリッジ装着部１１に装着すると、プラテンローラー２４がプラテン軸３３に、また、巻取りコア２７が巻取軸３４に装着され、印刷テープ７０の送りとインクリボン２３の送りとが可能な状態（送り待機状態）となる。
【００２２】
そして、送り待機状態において、搬送モーター３１を正方向に回転させると、印刷テープ７０とインクリボン２３とが印刷ヘッド５の位置で重なって、ともに矢印Ｆ方向に搬送される。ここで印刷ヘッド５を駆動することにより、印刷テープ７０への印刷が行われる。印刷ヘッド５を通過した印刷テープ７０の印刷済み部分は、搬送経路に沿って送られ、テープカートリッジ２の送出し口を経て、テープ印刷装置１の排出口１９から装置外部に送り出される。一方、インクリボン２３は、テープ送り機構３２により駆動される巻取りコア２７によって巻き取られる。
この正方向への送り動作は、印刷時に限らず、キー入力部５０の操作によって印刷テープ７０をフィード動作が指示された場合にも行われる。フィード動作の実行時には、印刷テープ７０がテープコア２２から繰り出され、繰出しコア２６からインクリボン２３が繰り出されるが、印刷ヘッド５による印刷は行われない。
【００２３】
また、印刷テープ７０が排出口１９の外に繰り出された状態では、テープ印刷装置１は、この印刷テープ７０を本体１０内部に巻き取ることが可能である。カートリッジ装着部１１は、搬送モーター３１により駆動され、テープコア２２及び繰出しコア２６を回転させるテープ巻取機構３５（搬送機構、巻取機構）が内蔵されている。テープ巻取機構３５はギヤ列（不図示）で構成されており、このギヤ列に含まれる２つの最終ギヤに、カートリッジ装着部１１内に突出するテープ巻取軸３６及びインク巻取軸３７がそれぞれ設けられている。テープ印刷装置１が印刷テープ７０を排出した後で待機している状態において、搬送モーター３１を逆方向に回転させると、印刷テープ７０は矢印Ｒ方向に搬送され、テープ巻取軸３６の回転力により駆動されるテープコア２２に巻き取られる。また、テープ巻取軸３６と同期して駆動されるインク巻取軸３７によって繰出しコア２６が回転することで、印刷済みのインクリボン２３が巻取りコア２７から繰り出され、繰出しコア２６に巻き取られる。
【００２４】
なお、プラテンローラー２４を、テープカートリッジ２ではなくテープ印刷装置１の本体側に設けてもよい。この具体的な構成としては、例えば、テープカートリッジ２をカートリッジ装着部１１に装着することにより、印刷ヘッド５或いはプラテンローラー２４が移動して、これらの間に印刷テープ７０及びインクリボン２３を挟持し、送り待機状態となる構成が挙げられる。
また、テープ送り機構３２及びテープ巻取機構３５は、いずれも搬送モーター３１に連結されており、搬送モーター３１を正方向に回転させるとテープ送り機構３２に駆動力が伝達され、搬送モーター３１を逆方向に回転させるとテープ巻取機構３５に駆動力が伝達される機構となっている。この構成の他、例えば、搬送モーター３１にはテープ送り機構３２のみが連結され、テープ巻取機構３５を駆動する別のモーターを設けた構成とすることも可能である。
【００２５】
また、カートリッジ装着部１１には、テープカートリッジ２の送出し口から排出された印刷テープ７０を、本体１０の排出口１９に導く一対のローラー３８が設けられている。ローラー３８には、ローラー３８の回転量を検出するロータリーエンコーダー等からなる搬送量検出部３９（搬送量検出手段）が設けられている。搬送量検出部３９は、ローラー３８の正方向及び逆方向への回転量を検出可能であり、テープ印刷装置１の制御部１００によってローラー３８の回転量を取得できる。このローラー３８に、搬送モーター３１または他のモーターによる駆動力を与えて、印刷テープ７０を所定の力で搬送してもよい。
【００２６】
印刷テープ７０の搬送路においてローラー３８の下流側、すなわち排出口１９側には、カッター機構９が設けられている。カッター機構９は、駆動源を構成するカッターモーター４０と、印刷テープ７０を切断する一対のカッター可動刃４２及びカッター固定刃４３と、カッターモーター４０の動力をカッター可動刃４２に伝達するカッター作動機構４１と、を有している。カッター機構９は、印刷テープ７０の表面７０ａに対して略直角に対向するカッター固定刃４３に対し、カッター可動刃４２を移動させ、カッター可動刃４２とカッター固定刃４３との間に印刷テープ７０を挟んで切断するハサミ型のカッターである。
【００２７】
さらに、排出口１９には、読取ユニット６（読取手段）が設けられている。読取ユニット６は、本体１０の外に向けて配設された外部読取モジュール６１と、本体１０の内部において排出口１９に接して、或いは排出口１９の近傍に設けられた表面読取モジュール６２及び裏面読取モジュール６３とを有する。
外部読取モジュール６１、表面読取モジュール６２及び裏面読取モジュール６３は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー、ＣＣＤ（Ｃｈａｒｇｅ  Ｃｏｕｐｌｅｄ  Ｄｅｖｉｃｅ）イメージセンサー等からなるイメージセンサーと、ＬＥＤ（Ｌｉｇｈｔ  Ｅｍｉｔｔｉｎｇ  Ｄｉｏｄｅ）や冷陰極管等からなる光源とが所定の読取面に向けて配設された構成を有し、光源により読取面から光を照射し、その反射光をイメージセンサーにより受光及び検出することで、対象物の表面を光学的に読み取る。
外部読取モジュール６１の読取面は、上面１０ｂに露出しており、上面１０ｂに接した読取対象物を読み取る。これに対し、表面読取モジュール６２及び裏面読取モジュール６３は印刷テープ７０を挟んで対向して配設される。表面読取モジュール６２の読取面は表面７０ａに向けて配設され、表面７０ａを読み取ることができ、例えば、印刷ヘッド５が表面７０ａに印刷した文字、記号、画像等を読み取る際に使用される。また、裏面読取モジュール６３の読取面は印刷テープ７０の裏面７０ｂに向けて配設され、裏面７０ｂを読み取ることができ、例えば、裏面７０ｂに手書き等で形成された文字や画像等を読み取る際に使用される。
【００２８】
排出口１９は、上述のように本体１０の上面１０ｂと左側面１０ｃとの角部に開口している。このため、印刷テープ７０を排出する方向は上面１０ｂ寄りの向きと左側面１０ｃ寄りの向きとの間で自在に動かすことができる。例えば、印刷テープ７０を、図２中に実線で示すように左側面１０ｃに略垂直に排出することも、図２中に破線で示すように、斜め方向に排出することもできる。
【００２９】
テープ印刷装置１は、テープ印刷装置１を中枢的に制御する制御部１００を備えている。制御部１００は、ＣＰＵと、ＣＰＵが実行するプログラム等を不揮発的に記憶したＲＯＭと、ＣＰＵが実行するプログラムや処理対象のデータ等を一時的に記憶するＲＡＭと、磁気的記録媒体、光学的記録媒体、或いは半導体記憶素子によりデータ等を不揮発的に記憶する記憶装置等により構成され、印刷制御部１０１、搬送制御部１０２、読取制御部１０３及び読取画像認識部１０４の各機能部を備えている。また、制御部１００は上記記憶装置の記憶領域を使用してデータを記憶する記憶部１０５を備え、記憶部１０５には画像記憶部１０６（画像記憶手段）が形成されている。制御部１００が備える印刷制御部１０１は印刷制御手段として機能し、また、読取制御部１０３の機能によって、読取制御手段として機能する。
【００３０】
制御部１００には、制御対象として印刷ヘッド５、搬送モーター３１、カッターモーター４０が接続され、制御部１００はこれら制御対象に対する駆動電流の供給状態等を制御することで、印刷ヘッド５による印刷、搬送モーター３１による印刷テープ７０の搬送、及ぶカッターモーター４０による切断動作を制御する。また、制御部１００には、読取ユニット６の外部読取モジュール６１、表面読取モジュール６２、及び裏面読取モジュール６３が接続され、制御部１００は、これらによる読取動作を制御して、読み取られた読取画像を取得する。さらに、制御部１００には搬送量検出部３９が接続され、制御部１００は、搬送量検出部３９が検出したローラー３８の正方向及び逆方向の回転量に基づき、繰出方向（矢印Ｆ）及び巻取方向（矢印Ｒ）の印刷テープ７０の搬送量を取得する。また、制御部１００には、入力手段を構成するキー入力部５０と、表示手段を構成するディスプレイ５５とが接続され、制御部１００はキー入力部５０の各キーの操作に応じて各種処理を実行し、ディスプレイ５５に、キー入力部５０の操作による指示内容や処理結果を表示する。
【００３１】
印刷制御部１０１は、印刷ヘッド５及び搬送モーター３１を制御して、印刷テープ７０の送りと同期させて印刷ヘッド５の発熱素子アレイを選択的に駆動することにより、１ラインずつのドット印刷を行い、例えば文宇、図形、記号等のキャラクター画像や、バーコード、ＱＲコード（登録商標）等の２次元コードのコード画像を印刷する。例えば、印刷制御部１０１は、キー入力部５０のキー操作に従って、画像記憶部１０６に記憶された画像データに基づき、表面７０ａに画像を印刷させる。
搬送制御部１０２は、上述したフィード動作、及び、印刷後の印刷テープ７０を巻き取る巻取動作を実行し、搬送モーター３１を正方向または逆方向に回転させて印刷テープ７０を搬送させる。また、搬送制御部１０２は、搬送モーター３１を回転させる際に、搬送量検出部３９の検出値に基づいて印刷テープ７０の搬送量を求める。
【００３２】
読取制御部１０３は、読取ユニット６による読取動作を実行する。読取制御部１０３は、読取ユニット６が備える外部読取モジュール６１、表面読取モジュール６２または裏面読取モジュール６３に対し、光源及びイメージセンサーを動作させるとともに、イメージセンサーが検出したデータを取得して、読取画像データを生成する。読取ユニット６が、イメージセンサーを制御して読取画像データを生成する制御回路を備えている場合には、この制御回路が出力する読取画像データを取得する。また、読取制御部１０３は、外部読取モジュール６１、表面読取モジュール６２及び裏面読取モジュール６３のうち複数のモジュールを選択して、同時に読み取りを行うことも可能である。読取制御部１０３は、搬送制御部１０２の機能によって読取動作の実行中における搬送量を求めさせ、求められた搬送量を取得する。そして、読取制御部１０３は、生成または取得した読取画像データを、取得した搬送量に対応づけて画像記憶部１０６に記憶する。
読取画像認識部１０４は、画像記憶部１０６に格納された読取画像データに対して文字認識処理を実行し、この読取画像データに含まれる文字を抽出してテキストデータに変換し、生成したテキストデータを記憶部１０５に記憶する。
【００３３】
続いて、テープ印刷装置１の各種の機能について説明する。
テープ印刷装置１は、外部読取モジュール６１を用いて本体１０の外部の読取対象物の表面を光学的に読み取る外部読取処理、本体１０から繰り出された印刷テープ７０の裏面７０ｂに手書き等で形成された文字や画像を裏面読取モジュール６３により読み取る裏面読取処理、印刷ヘッド５によって印刷を実行する際に、表面７０ａに印刷された文字、記号或いは画像等を表面読取モジュール６２により読み取る印刷同時読取処理、読取画像の文字認識を行ってテキストデータを生成する読取画像認識処理、及び、読取画像を表面７０ａに印刷する印刷処理を実行できる。
【００３４】
図３は、テープ印刷装置１の使用状態の例を示す説明図であり、（Ａ）は外部読取処理の例を示し、（Ｂ）は裏面読取処理の例を示す。また、図４は外部読取処理を示すフローチャートであり、図５は裏面読取処理を示すフローチャートである。
外部読取処理は、本体１０の外部のシート（紙や合成樹脂等）等の表面を、外部読取モジュール６１によって読み取る処理であり、平面に置かれたシート２００に記載された読取対象文字２０１を読み取る例を図３（Ａ）に示す。外部読取処理の実行時には、読取対象物に外部読取モジュール６１の読取面を対向させるため、上面１０ｂを読取対象の面に対向させる。より良好な読取結果を得るためには、読取対象物の表面が平面であって、この平面に外部読取モジュール６１が当接することが好ましい。図３（Ａ）の例ではシート２００に上面１０ｂを接触させている。
外部読取処理の実行時には、印刷テープ７０を本体１０の外に繰出しながら読み取りが実行される。この印刷テープ７０は、ユーザーが手で印刷テープ７０を引っ張ることで本体１０から引き出してもよいし、キー入力部５０の操作に応じてテープ印刷装置１がフィード動作を実行して繰出してもよい。本実施形態では、外部読取処理の実行をキー入力部５０の操作によって指示すると、自動的にフィード動作が行われて印刷テープ７０が繰出される構成とする。また、外部読取処理の開始前に、ユーザーが押さえる先端部７０ｃの分だけ、印刷テープ７０が本体１０の外に引き出されていれば、より好ましい。
【００３５】
図４に示すように、ユーザーにより、キー入力部５０の操作によって外部読取処理の開始が指示されると（ステップＳ１）、読取制御部１０３は、搬送制御部１０２の機能によって、印刷テープ７０の繰出しを開始するとともに（ステップＳ２）、印刷テープ７０の繰出量のカウントを開始する（ステップＳ３）。そして、読取制御部１０３は、外部読取モジュール６１により読取対象文字２０１を読み取るべく、本体１０を動かす。
すなわち、ステップＳ１でキー入力部５０を操作する前に、ユーザーは、図３（Ａ）に示すように、外部読取モジュール６１が読取対象文字２０１を読み取る読取開始位置に重なるように本体１０を置く。ユーザーは、本体１０の外に出ている印刷テープ７０の先端部７０ｃを固定する。先端部７０ｃの固定は、例えば指でシート２００に押しつけてもよい。
そして、テープ印刷装置１が印刷テープ７０の繰出しを開始すると、ユーザーは、印刷テープ７０が繰り出される早さに合わせるように、先端部７０ｃを固定したまま本体１０を読取方向（図中矢印Ｍ）に移動させ、読取対象文字２０１の上を通過させる。この間、外部読取モジュール６１が読取対象文字２０１の上を通過しながら、読取対象文字２０１を光学的に読み取る。また、本体１０の移動中、印刷テープ７０が本体１０から繰り出され、読取制御部１０３は、後述するように読取停止を指示するキー入力部５０の操作が行われるまで、搬送制御部１０２によって印刷テープ７０の繰出量を搬送量検出部３９の検出値に基づきカウントする。この本体１０の移動中に、搬送制御部１０２は、テープ送り機構３２及びテープ巻取機構３５をフリーにして自在に印刷テープ７０を繰出し可能となる構成とし、ユーザーが本体１０を移動させる力で印刷テープ７０が引き出されるようにしてもよい。
【００３６】
図３（Ａ）に示すように、読取対象文字２０１の全体を外部読取モジュール６１が通過したところで、ユーザーは本体１０の移動をやめ、キー入力部５０の操作により停止を指示する。機能キー５２、５３のいずれかに、停止を指示する機能を割り当てれば、より操作が簡単になる。読取制御部１０３は、読取を開始した後は、停止を指示するキー操作に対して待機し（ステップＳ５）、停止を指示するキー操作を検出すると（ステップＳ５；Ｙｅｓ）、印刷テープ７０の繰出しが停止したことを確認する（ステップＳ６）。例えば、ユーザーが手で印刷テープ７０を引き出す場合、ステップＳ６で読取制御部１０３は、搬送制御部１０２の機能により、印刷テープ７０が止まったことを確認する。
次に、読取制御部１０３は、搬送制御部１０２の機能によってカウントした印刷テープ７０の繰出量のカウント値を取得する（ステップＳ７）。
【００３７】
外部読取処理中に繰出された印刷テープ７０の繰出量（搬送量）は本体１０の移動量に等しく、読み取った画像の読取長さに等しい。従って、搬送制御部１０２が検出した印刷テープ７０の繰出量を、読取長さとすることができる。読取制御部１０３は、外部読取モジュール６１の読取画像データを取得するとともに、取得した繰出量を読取画像の読取長さとして、読取画像データを画像記憶部１０６に一時的に記憶する（ステップＳ８）。さらに、読取制御部１０３は、キー入力部５０のキー操作に従って、カッターモーター４０を駆動して本体１０の移動に伴って繰り出された印刷テープ７０を切断し、あるいは、搬送制御部１０２の機能により印刷テープ７０を本体１０の内部に巻き取る（ステップＳ９）。その後、読取制御部１０３は、外部読取処理の再実行（リトライ）を指示する操作の有無を判定し（ステップＳ１０）、再実行が指示された場合は（ステップＳ１０；Ｙｅｓ）、ステップＳ２に戻る。また、再実行を指示する操作がない場合は（ステップＳ１０；Ｎｏ）、読取画像を保存するか印刷するかの選択が行われる（ステップＳ１１）。ステップＳ１１で、制御部１００は、キー入力部５０の操作または事前の設定に従って、読取画像の保存と印刷のいずれか一方を選択し、読取画像の画像データを画像記憶部１０６に記憶し（ステップＳ１２）、或いは、印刷制御部１０１により印刷テープ７０に読取画像を印刷し（ステップＳ１３）、本処理を終了する。
【００３８】
この外部読取処理によれば、本体１０の外部の読取対象物を自在に読み取ることができる。また、搬送制御部１０２が繰出された印刷テープ７０の量に基づき、読取長さを正確に検出できるので、ユーザーが手で本体１０を動かす速度が不安定であっても、歪みのない読取画像を得ることができる。そして、読み取った画像を印刷テープ７０に印刷することで、コピーを作成できる。
なお、外部読取処理で読み取る読取対象物は、上面１０ｂを当接させることが可能な面であれば特に限定されない。本実施形態で例示した平面状のシート２００に限らず、部屋の壁面や大型の物体の表面をテープ印刷装置１が読み取ることも可能である。
【００３９】
裏面読取処理は、印刷やフィード動作によって本体１０に出た印刷テープ７０の裏面７０ｂに形成された文字や画像を、印刷テープ７０を巻き取りながら読み取る処理である。本実施形態では裏面読取処理の開始を指示すると自動的にフィード動作が行われる構成とする。
裏面読取処理は、図３（Ｂ）に示すように印刷テープ７０が本体１０から繰り出された状態で開始される。テープ印刷装置１は、印刷テープ７０を排出した状態で、左側面１０ｃが設置面２１０に接するように配置される。この状態では、本体１０の外に排出されている印刷テープ７０の裏面７０ｂが上を向いているので、裏面７０ｂに、手書き、スタンプ等による押捺、紙やシールの貼付によって文字や画像を形成できる。本実施形態では裏面７０ｂに手書きされた手書き文字７０ｄを読み取る例について説明する。なお、図３（Ｂ）に示す状態で裏面７０ｂに手書き文字７０ｄが形成された後であれば、本体１０の向きに関係なく裏面読取処理を実行できる。
【００４０】
読取制御部１０３は、図５に示すように、ユーザーがキー入力部５０を操作して裏面読取処理の開始を指示すると、この操作を検出し（ステップＳ２１）、搬送制御部１０２の機能によって印刷テープ７０の繰出し（フィード動作）を開始する（ステップＳ２２）。このフィード動作はキー入力部５０の操作により停止が指示されるまで継続され（ステップＳ２３）、停止が指示されると（ステップＳ２３；Ｙｅｓ）、読取制御部１０３は印刷テープ７０の搬送を停止して（ステップＳ２４）、読取開始のキー操作を待機する（ステップＳ２５）。
【００４１】
ユーザーは、図３（Ｂ）に示すように裏面７０ｂに文字や画像を形成してから、キー入力部５０の操作により動作開始を指示する。読取制御部１０３は、キー入力部５０の操作を検出すると（ステップＳ２５；Ｙｅｓ）、搬送制御部１０２の機能により搬送モーター３１を逆方向に回転させて、印刷テープ７０の巻き取りを開始するとともに（ステップＳ２６）、搬送量検出部３９の検出値に基づいて巻取量のカウントを開始する（ステップＳ２７）。そして、読取制御部１０３は、印刷テープ７０を巻き取る間、裏面７０ｂの読み取りを実行する（ステップＳ２８）。
読取制御部１０３は、キー入力部５０の操作により停止が指示されるまで、巻き取りと読み取りを継続する（ステップＳ２９）。読取制御部１０３は、停止を指示する操作を検出すると（ステップＳ２９；Ｙｅｓ）、搬送制御部１０２による巻き取りを停止させ（ステップＳ３０）、巻取量のカウント値を取得する（ステップＳ３１）。ここで取得される印刷テープ７０の巻取量は、裏面読取処理中に裏面読取モジュール６３の前を通過した印刷テープ７０の長さに相当し、読取画像の長さとして考えることができる。読取制御部１０３は、裏面読取モジュール６３の読取画像データを取得して、ステップＳ３１で取得した巻取量を読取画像の長さとして、読取画像データを画像記憶部１０６に記憶する（ステップＳ３２）。さらに、読取制御部１０３は、キー入力部５０のキー操作に従って、裏面読取処理で巻き取った分だけ印刷テープ７０を繰り出す（ステップＳ３３）。ここで、制御部１００は、キー入力部５０の操作に応じて、印刷テープ７０を切断してもよい。
この裏面読取処理によれば、裏面７０ｂを利用して、手書き文字７０ｄをテープ印刷装置１に読み取らせることができる。また、ステップＳ３２で記憶した読取画像データを印刷テープ７０に印刷する処理を行えば、簡単に手書き文字７０ｄのコピーを作成できる。
【００４２】
また、図４の外部読取処理及び図５の裏面読取処理で読み取った読取画像は、読取画像認識処理によってテキストデータに変換できる。
すなわち、読取画像認識部１０４は、画像記憶部１０６に記憶された読取画像データから、キー入力部５０のキー操作により指定された読取画像データを選択して読み出し、文字認識処理を行って、この読取画像に含まれている文字や記号をテキストデータに変換して、記憶部１０５に記憶する。文字認識処理のアルゴリズムとしては公知のものを用いることができる。また、読取画像認識部１０４は、読取画像データから抽出した文字や記号のうち、テープ印刷装置１が内蔵するフォントに対応する文字や記号が含まれている場合に限り、テキストデータに変換する構成としてもよい。
この文字認識処理によって、本体１０の外部の読取対象物に形成されていた文字や記号、及び、裏面７０ｂに手書き等で形成された文字や記号を、テープ印刷装置１に入力できる。このため、例えばテープ印刷装置１のように文字入力キーを持たない装置において、文字や記号を入力できる。記憶部１０５に記憶されたテキストデータは、印刷制御部１０１の機能により表面７０ａに印刷できる。
【００４３】
さらに、読取画像認識部１０４が、読取画像データから認識した文字や記号により所定の制御コードが形成されることを検出して、この制御コードをテキストデータに変換せず、この制御コードを対応するコード文字に置き換えてテキストデータを生成する構成としてもよい。制御コードとしては、改行を指示する改行コードや、フォント種類やフォントサイズを指定するコード、太字や斜体等の文字装飾を指定するコードが挙げられる。これらの制御コードは、例えば、当該テキストデータに基づいて印刷制御部１０１が印刷を実行する際に、表面７０ａに印刷されず、印刷制御部１０１が制御コードに従って改行、フォントの選択、フォントサイズの選択、文字装飾の付与などを行う。この場合、外部読取処理あるいは裏面読取処理によって、印刷形態を指定する情報を読み取ることで、テープ印刷装置１の印刷動作を制御できる。
さらにまた、読取画像認識部１０４が検出する制御コードとして、テープ印刷装置１の特定の動作を指示するコードを用いることもできる。この場合、読取画像認識部１０４は、当該制御コードを検出した時点で、或いはその後に、検出した制御コードに従って動作を行う。例えば、テープ印刷装置１のリセット動作や、印刷テープ７０の残量、テープ印刷装置１の累積動作量等の制御情報を表示または印刷出力する動作、テープ印刷装置１の動作に係る設定項目を、制御コードで指定された設定値に設定する動作、テープ印刷装置１の各種設定項目を初期状態に戻す動作等が挙げられる。この場合、例えば外部読取処理によってテープ印刷装置１の操作マニュアルに付されたバーコードを読み取って認識することで、テープ印刷装置１の動作に係る情報の出力や設定等を行うことができる。
また、読取画像認識部１０４が生成したテキストデータだけでなく、テープ印刷装置１が外部読取処理や裏面読取処理で読み取った読取画像データを、画像データのまま印刷制御部１０１により印刷することも可能である。
【００４４】
以上説明したように、本発明を適用した実施形態に係るテープ印刷装置１は、印刷テープ７０に印刷する印刷ヘッド５を有し、本体１０から印刷後の印刷テープ７０を排出する排出口１９に配置され、読取対象物を光学的に読み取る読取ユニット６と、搬送された印刷テープ７０の長さを検出する搬送量検出部３９と、読取ユニット６により読み取られた読取画像を取得し、搬送量検出部３９により検出された印刷テープ７０の長さに基づき、読取画像の長さを求める制御部１００の読取制御部１０３とを備えているので、印刷テープ７０の排出長さを検出し、この排出長さに基づいて読取画像のサイズを求めることができる。つまり、印刷媒体として用いる印刷テープ７０を、読取範囲のサイズすなわち読取画像のサイズ（長さ）を求める目的でも使用して、正確に読取画像のサイズを得ることができる。これにより、読取ユニット６を用いた光学的読取機能を利用して、このテープ印刷装置１が印刷した印刷テープ７０に限らず、様々なものを光学的に読み取ることが可能となる。
【００４５】
また、テープ印刷装置１は、排出口１９から排出された印刷テープ７０を本体１０に巻き取るテープ巻取機構３５を備え、搬送量検出部３９は、テープ巻取機構３５が巻き取る印刷テープ７０の長さを検出するので、印刷テープ７０を巻き取りながら光学的読み取りを実行し、この場合の読取範囲のサイズを、印刷テープ７０の巻取長に基づいて正確に得ることができる。
また、印刷テープ７０は、表面に印刷が施される表面７０ａを有するとともに裏面に粘着層を有する粘着テープ７１と、粘着テープ７１の裏面に剥離可能に設けられた剥離テープ７２とを有して構成され、読取ユニット６は、少なくとも剥離テープ７２の裏面７０ｂを読み取る位置に設けられる裏面読取モジュール６３を備え、制御部１００は、読取ユニット６によって、テープ巻取機構３５が巻き取る印刷テープ７０の裏面７０ｂを読み取らせ、この読取画像を取得するので、裏面読取処理によって、テープ印刷装置１が排出した印刷テープ７０の剥離テープ７２に、手書きや押印等により読み取らせたい文字や画像を形成し、この文字や画像を、印刷テープ７０を巻き取りながらテープ印刷装置１によって読み取ることができる。
【００４６】
また、読取ユニット６は、本体１０の外側に位置する読取対象物を読み取る位置に設けられた外部読取モジュール６１を備え、制御部１００は、読取ユニット６によって、本体１０の外部に位置する読取対象物を読み取らせて読取画像を取得するので、外部読取処理によって、本体１０の外部に位置する読取対象物を光学的に読み取ることができる。また、この場合の読取範囲のサイズを、印刷テープ７０の長さに基づいて容易に得ることができ、正しい読取画像データのサイズを容易に得ることができる。
さらに、テープ印刷装置１は、制御部１００が取得した読取画像を記憶する画像記憶部１０６を備え、読取ユニット６による光学的読取機能を利用して読み取った読取画像データを、様々な目的に利用できる。
さらにまた、制御部１００は、画像記憶部１０６に記憶した読取画像を印刷ヘッド５によって印刷テープ７０に印刷させる印刷制御部１０１を備えているので、テープ印刷装置１が備える光学的読取機能により読み取った読取画像データを、印刷テープ７０に印刷して容易に複製できる。また、読取画像データのサイズを正確に得ることが可能なため、複製物の歪みを抑制できる。
また、制御部１００は、読取ユニット６から取得した読取画像を読取画像認識部１０４により認識して、制御用のデータとして処理できるので、読取画像データを、テープ印刷装置１の制御に用いることができる。
【００４７】
このようなテープ印刷装置１を用いることにより、例えばペン等の筆感のある手書きのラベルを複数作成したり、既に印刷されたイメージをスキャンしてラベルにしたりすることなどが可能になり、容易に様々なラベルを作成することが可能になる。
【００４８】
なお、本実施形態では、文字入力キーを持たないテープ印刷装置１を例に挙げて説明したが、本発明はこれに限定されるものではなく、ＱＷＥＲＴＹキーボード等の文字入力キーを備えた構成に適用可能である。また、本実施形態では、読取ユニット６が、本体１０の外側に読取面を向けて設置された外部読取モジュール６１と、表面７０ａに読取面を向けて設置された表面読取モジュール６２と、裏面７０ｂに読取面を向けて設置された裏面読取モジュール６３とを備えた構成を例に挙げて説明したが、これら全てを備えた構成に限らず、少なくとも外部読取モジュール６１、及び／または、裏面読取モジュール６３に相当するものを備えた構成であれば本発明を適用可能である。さらに、本実施形態において、画像記憶部１０６に記憶される読取画像データのデータフォーマット、本体１０の形状、本体１０における読取ユニット６の各モジュールの位置、及び、その他の細部構成については任意に変更可能である。また、本実施形態では、テープ印刷装置１として、いわゆる熱転写式プリンターを例に挙げて説明したが、本発明はこれに限定されるものではなく、テープ状の記録媒体に印刷を行ってハーフカットする構成を有するものであれば、インクジェットプリンター等の各種の印刷装置にも適用可能である。
【符号の説明】
【００４９】
１…テープ印刷装置、２…テープカートリッジ、５…印刷ヘッド、６…読取ユニット（読取手段）、９…カッター機構、１０…本体、１０ａ…前面、１０ｂ…上面、１９…排出口、３２…テープ送り機構（搬送機構）、３５…テープ巻取機構（搬送機構、巻取機構）、３９…搬送量検出部（搬送量検出手段）、５０…キー入力部、６１…外部読取モジュール、６２…表面読取モジュール、６３…裏面読取モジュール、７０…印刷テープ（テープ状印刷媒体）、７０ａ…表面（被印刷面）、７０ｂ…裏面、７１…粘着テープ、７２…剥離テープ、１００…制御部（読取制御手段）、１０１…印刷制御部（印刷制御手段）、１０２…搬送制御部、１０３…読取制御部、１０４…読取画像認識部、１０５…記憶部、１０６…画像記憶部（画像記憶手段）。
【図１】
2013212623.tif 000003
【図２】
2013212623.tif 000004
【図３】
2013212623.tif 000005
【図４】
2013212623.tif 000006
【図５】
2013212623.tif 000007